(57)【要約】      （修正有）【課題】シールド導通を試験するための方法及び装置を提供する。【解決手段】伝送機１３８は、シールドを有するケーブル又は配線設備１００の複数の導体１１４ａ，ｂを通じて、コモンモードで第１の信号を伝送する。第１の信号は、複数の導体１１４ａ，ｂの第１の端部においてコモンモードで伝送される。受信機１４０は、複数の導体１１４ａ，ｂの第２の端部において第１の信号を表す複数の第２の信号をそれぞれ受信し、複数の第２の信号を表すデータを出力する。プロセッサ１３０ｂは、複数の第２の信号を表すデータを受信し、複数の第２の信号に基づいて、ケーブル又は配線設備１００のためのコモンモード挿入損失を決定し、コモンモード挿入損失に基づいて、シールドが導通であるか、又は不導通であるかを判定し、シールドが導通であるか、又は不導通であるかを表すデータを出力する。【選択図】図２
2019184606.tif 000002
【特許請求の範囲】
【請求項１】
シールド導通試験装置であって、
シールドを有するケーブル又は配線設備の複数の導体を通じて、コモンモードで第１の信号を伝送するように構成された伝送機であって、前記複数の導体の第１の端部において前記コモンモードで前記第１の信号を伝送するように構成される、伝送機と、
前記複数の導体の第２の端部において前記第１の信号を表す複数の第２の信号をそれぞれ受信し、前記複数の第２の信号を表すデータを出力するように構成された受信機と、
プロセッサであって、
前記複数の第２の信号を表す前記データを受信し、
前記複数の第２の信号に基づいて、前記ケーブル又は配線設備のコモンモード挿入損失を決定し、
前記コモンモード挿入損失に基づいて、前記シールドが導通であるか、又は不導通であるかを判定し、
前記シールドが導通であるか、又は不導通であるかを表すデータを出力するように構成される、プロセッサと、を備える、シールド導通試験装置。
【請求項２】
前記第１の信号が、周波数範囲にまたがり、前記伝送機が、前記周波数範囲内の複数の周波数点で前記第１の信号を伝送するように構成される、請求項１に記載のシールド導通試験装置。
【請求項３】
前記プロセッサが、少なくとも、
前記複数の第２の信号に基づいて、前記周波数範囲内の前記複数の周波数点の各周波数点で前記コモンモード挿入損失を決定することによって、前記コモンモード挿入損失を決定するように構成される、請求項２に記載のシールド導通試験装置。
【請求項４】
前記周波数範囲が、１〜２０メガヘルツ（ＭＨｚ）である、請求項２に記載のシールド導通試験装置。
【請求項５】
前記プロセッサが、少なくとも、
前記ケーブル又は配線設備の予期されるコモンモード挿入損失を決定することと、
前記予期されるコモンモード挿入損失と前記決定されたコモンモード挿入損失との差として、オフセットコモンモード挿入損失を決定することと、
前記オフセットコモンモード挿入損失に基づいて、前記シールドが導通であるか、又は不導通であるかを判定することと、によって、前記シールドが導通であるか、又は不導通であるかを判定するように構成される、請求項１に記載のシールド導通試験装置。
【請求項６】
前記プロセッサが、少なくとも、
前記オフセットコモンモード挿入損失の性能指数を決定することと、
前記性能指数を閾値と比較することと、によって、前記シールドが導通であるか、不導通であるかを判定するように構成される、請求項５に記載のシールド導通試験装置。
【請求項７】
前記プロセッサが、少なくとも、
前記第１の信号が伝送される周波数範囲内の複数の周波数点にわたる前記オフセットコモンモード挿入損失の平均を決定することと、
前記複数の周波数点にわたる前記オフセットコモンモード挿入損失間の差の標準偏差、及び前記複数の周波数点にわたる前記オフセットコモンモード挿入損失の最小二乗平均フィットを決定することと、
前記平均と前記標準偏差との差として前記性能指数を決定することと、によって、前記性能指数を決定するように構成される、請求項６に記載のシールド導通試験装置。
【請求項８】
前記プロセッサが、前記性能指数が前記閾値以上である場合には前記シールドが導通であると判定し、前記性能指数が前記閾値未満である場合には前記シールドが不導通であると判定するように構成される、請求項６に記載のシールド導通試験装置。
【請求項９】
前記プロセッサが、前記第１の信号が伝送される前記周波数範囲の部分範囲内の前記コモンモード挿入損失に基づいて、前記シールドが導通であるか、又は不導通であるかを判定するように構成され、前記プロセッサが、
前記ケーブル又は配線設備の決定された信号伝搬遅延に基づいて、前記部分範囲を識別するように構成される、請求項１に記載のシールド導通試験装置。
【請求項１０】
前記周波数範囲内の前記部分範囲の場所が、前記伝搬遅延と逆相関し、よって、前記伝搬遅延の増加が、前記周波数範囲の始まりに向かう前記部分範囲のシフトをもたらし、前記伝搬遅延の減少が、前記周波数範囲の終わりに向かう前記部分範囲のシフトをもたらす、請求項９に記載のシールド導通試験装置。
【請求項１１】
前記ケーブル又は前記配線設備の前記複数の導体が、前記複数の導体のうちの一対の導体が互いの周囲に一対に撚り合わされたツイストペア配設を有する、請求項１に記載のシールド導通試験装置。
【請求項１２】
出力装置を備え、該出力装置が、前記プロセッサに通信的に結合され、前記シールドが導通であるか、又は不導通であるかを表す前記データを受信し、前記シールドが導通であるか、又は不導通であるかの指示を出力するように構成される、請求項１に記載のシールド導通試験装置。
【請求項１３】
前記プロセッサが、少なくとも、
前記ケーブル又は配線設備のコモンモード反射損失を決定することと、
フーリエ変換を前記コモンモード反射損失に適用して、時間領域データを得ることと、
補償ベクトルを使用して、前記時間領域データをスケーリングすることと、
前記スケーリングされた時間領域データの最大と関連付けられたインデックスを決定することと、
前記スケーリングされた時間領域データの前記最大と関連付けられた前記インデックスに基づいて、前記ケーブル又は配線設備に沿った前記不導通の場所を決定することと、によって、前記シールドの不導通の前記場所を決定するように構成される、請求項１に記載のシールド導通試験装置。
【請求項１４】
前記スケーリングされた時間領域データの前記インデックスの相対的な場所は、前記シールド内の前記不導通の前記相対的な場所に対応する、請求項１３に記載のシールド導通試験装置。
【請求項１５】
シールド導通を試験するための方法であって、
シールドを有するケーブル又は配線設備の複数の導体を通じて、コモンモードで第１の信号を伝送することであって、前記第１の信号が、前記複数の導体の第１端部においてコモンモードである、伝送することと、
前記複数の導体の第２の端部において、前記第１の信号を表す複数の第２の信号をそれぞれ受信することと、
前記複数の第２の信号に基づいて、前記ケーブル又は配線設備のコモンモード挿入損失を決定することと、
前記コモンモード挿入損失に基づいて、前記シールドが導通であるか、又は不導通であるかを判定することと、
前記シールドが導通であるか、又は不導通であるかを表すデータを出力することと、を含む、方法。
【請求項１６】
周波数範囲内の複数の周波数点にわたって前記第１の信号を伝送することを含む、請求項１５に記載の方法。
【請求項１７】
前記複数の第２の信号に基づいて、前記周波数範囲内の前記複数の周波数点の各周波数点で前記コモンモード挿入損失を決定することを含み、前記周波数範囲が、１〜２０メガヘルツ（ＭＨｚ）である、請求項１６に記載の方法。
【請求項１８】
前記ケーブル又は配線設備のための予期されるコモンモード挿入損失を決定することと、
前記予期されるコモンモード挿入損失と前記決定されたコモンモード挿入損失との差として、オフセットコモンモード挿入損失を決定することと、
前記オフセットコモンモード挿入損失に基づいて、前記シールドが導通であるか、又は不導通であるかを判定することと、を含む、請求項１５に記載の方法。
【請求項１９】
前記第１の信号が伝送される周波数範囲内の複数の周波数点にわたる前記オフセットコモンモード挿入損失の平均を決定することと、
前記複数の周波数点にわたる前記オフセットコモンモード挿入損失間の差の標準偏差、及び前記複数の周波数点にわたる前記オフセットコモンモード挿入損失の最小二乗平均フィットを決定することと、
前記平均と前記標準偏差との差として性能指数を決定することと、
前記性能指数が閾値以上である場合には前記シールドが導通であると判定し、前記性能指数が前記閾値未満である場合は前記シールドが不導通であると判定することと、を含む、請求項１８に記載の方法。
【請求項２０】
前記ケーブル又は配線設備のコモンモード反射損失を決定することと、
フーリエ変換を前記コモンモード反射損失に適用して、時間領域データを得ることと、
補償ベクトルを使用して、前記時間領域データをスケーリングすることと、
前記スケーリングされた時間領域データの最大と関連付けられたインデックスを決定することと、
前記スケーリングされた時間領域データの前記最大と関連付けられた前記インデックスに基づいて、前記ケーブル又は配線設備に沿った不導通の場所を決定することと、を含む、請求項１５に記載の方法。
【発明の詳細な説明】
【技術分野】
【０００１】
本出願は、コモンモード挿入損失、具体的には、ケーブル又は配線設備の１つ以上のツイストペア導体を通じてコモンモードで伝送される信号の挿入損失に基づいて、ケーブル又は配線設備内のシールドの導通を検出するための方法及び装置に関する。
【背景技術】
【０００２】
電気ケーブルは、ケーブルの導体に到達し得る外部環境の電磁干渉を低減させるシールドを含む。ケーブルは、ツイストペアの導体とすることができる。シールドの破損又は破断として現れ得るシールドの不導通は、ケーブルのクロストーク（ＸＴ）性能を低下させる。シールドの導通の直流（ＤＣ）検証技術は、シールドが接地されたときに、偽陽性の試験結果をもたらし易い（すなわち、不導通シールドを「合格」にする）。更に、例えばコネクタでのシールド終端に起因する、寄生インダクタンスの存在は、シールド検証技術に、偽陰性の試験結果を生じさせる場合がある（すなわち、導通シールドを「不合格」にする）。
【先行技術文献】
【特許文献】
【０００３】
【特許文献１】米国特許第８５７００４９号
【発明の概要】
【課題を解決するための手段】
【０００４】
一実施形態において、シールド導通試験装置は、シールドを有するケーブル又は配線設備の複数の導体を通じて、コモンモードで第１の信号を伝送するように構成された伝送機を含む。一実施形態において、伝送機は、複数の導体の第１の端部においてコモンモードで第１の信号を伝送するように構成される。一実施形態において、シールド導通試験装置は、複数の導体の第２の端部において第１の信号を表す複数の第２の信号をそれぞれ受信し、複数の第２の信号を表すデータを出力するように構成された受信機を含む。一実施形態において、シールド導通試験装置は、プロセッサを含み、該プロセッサは、複数の第２の信号を表すデータを受信し、複数の第２の信号に基づいて、ケーブル又は配線設備のコモンモード挿入損失を決定し、コモンモード挿入損失に基づいて、シールドが導通であるか、又は不導通であるかを判定し、シールドが導通であるか、又は不導通であるかを表すデータを出力するように構成される。
【０００５】
一実施形態において、第１の信号は、周波数範囲にまたがり、伝送機は、該周波数範囲内の複数の周波数点で第１の信号を伝送するように構成される。一実施形態において、プロセッサは、少なくとも、複数の第２の信号に基づいて、周波数範囲内の複数の周波数点の各周波数点におけるコモンモード挿入損失を決定することによって、コモンモード挿入損失を決定するように構成される。一実施形態において、周波数範囲は、１〜２０メガヘルツ（ＭＨｚ）である。一実施形態において、プロセッサは、少なくとも、ケーブル又は配線設備の予期されるコモンモード挿入損失を決定することと、ケーブル又は配線設備の予期されるコモンモード挿入損失を決定することと、予期されるコモンモード挿入損失と決定されたコモンモード挿入損失との差として、オフセットコモンモード挿入損失を決定することと、オフセットコモンモード挿入損失に基づいて、シールドが導通であるか、又は不導通であるかを判定することと、によって、シールドが導通であるか、又は不導通であるかを判定するように構成される。
【０００６】
一実施形態において、プロセッサは、少なくとも、オフセットコモンモード挿入損失の性能指数を決定することと、性能指数を閾値と比較することと、によって、シールドが導通であるか、又は不導通であるかを判定するように構成される。一実施形態において、プロセッサは、少なくとも、第１の信号が伝送される周波数範囲内の複数の周波数点にわたるオフセットコモンモード挿入損失の平均を決定することと、複数の周波数点にわたるオフセットコモンモード挿入損失間の差の標準偏差、及び複数の周波数点にわたるオフセットコモンモード挿入損失の最小二乗平均フィットを決定することと、平均と標準偏差との差として性能指数を決定することと、によって、性能指数を測定するように構成される。
【０００７】
一実施形態において、プロセッサは、性能指数が閾値以上である場合にはシールドが導通であると判定し、性能指数が閾値未満である場合にはシールドが不導通であると判定するように構成される。一実施形態において、プロセッサは、第１の信号が伝送される周波数範囲の部分範囲内のコモンモード挿入損失に基づいて、シールドが導通であるか、又は不導通であるかを判定するように構成される。一実施形態において、プロセッサは、ケーブル又は配線設備の決定された信号伝搬遅延に基づいて、部分範囲を識別するように構成される。
【０００８】
一実施形態において、周波数範囲内の部分範囲の場所は、伝搬遅延と逆相関し、よって、伝搬遅延の増加は、周波数範囲の始まりに向かう部分範囲のシフトをもたらし、伝搬遅延の減少は、周波数範囲の終わりに向かう部分範囲のシフトをもたらす。一実施形態において、ケーブル又は配線設備の複数の導体は、複数の導体のうちの一対の導体が互いの周囲に一対に撚り合わされたツイストペア配設を有する。一実施形態において、シールド導通試験装置は、出力装置を含み、該出力装置は、プロセッサに通信的に結合され、シールドが導通であるか、又は不導通であるかを表すデータを受信し、シールドが導通であるか、又は不導通であるかの指示を出力するように構成される。
【０００９】
一実施形態において、プロセッサは、少なくとも、ケーブル又は配線設備のコモンモード反射損失を決定することと、フーリエ変換をコモンモード反射損失に適用して、時間領域データを得ることと、補償ベクトルを使用して、時間領域データをスケーリングすることと、スケーリングされた時間領域データの最大と関連付けられたインデックスを決定することと、スケーリングされた時間領域データの最大と関連付けられたインデックスに基づいて、ケーブル又は配線設備に沿った不導通の場所を決定することと、によって、シールドの不導通の場所を測定するように構成される。一実施形態において、スケーリングされた時間領域データのインデックスの相対的な場所は、シールド内の不導通の相対的な場所に対応する。
【００１０】
一実施形態において、シールドの導通を試験するための方法は、シールドを有するケーブル又は配線設備の複数の導体を通じて、コモンモードで第１の信号を伝送することであって、第１の信号が、複数の導体の第１端部においてコモンモードである、伝送することと、複数の導体の第２の端部において、第１の信号を表す複数の第２の信号をそれぞれ受信することと、複数の第２の信号に基づいて、ケーブル又は配線設備のコモンモード挿入損失を決定することと、コモンモード挿入損失に基づいて、シールドが導通であるか、又は不導通であるかを判定することと、シールドが導通であるか、又は不導通であるかを表すデータを出力することと、を含む。
【００１１】
一実施形態において、方法は、周波数範囲内の複数の周波数点にわたって第１の信号を伝送することを含む。一実施形態において、方法は、複数の第２の信号に基づいて、周波数範囲内の複数の周波数点の各周波数点におけるコモンモード挿入損失を決定することを含む。一実施形態において、周波数範囲は、１〜２０メガヘルツ（ＭＨｚ）である。一実施形態において、方法は、ケーブル又は配線設備のための予期されるコモンモード挿入損失を決定することと、予期されるコモンモード挿入損失と決定されたコモンモード挿入損失との差として、オフセットコモンモード挿入損失を決定することと、オフセットコモンモード挿入損失に基づいて、シールドが導通であるか、又は不導通であるかを判定することと、を含む。
【００１２】
一実施形態において、方法は、第１の信号が伝送される周波数範囲内の複数の周波数点にわたるオフセットコモンモード挿入損失の平均を決定することと、複数の周波数点にわたるオフセットコモンモード挿入損失間の差の標準偏差、及び複数の周波数点にわたるオフセットコモンモード挿入損失の最小二乗平均フィットを決定することと、平均と標準偏差との差として性能指数を決定することと、性能指数が閾値以上である場合にはシールドが導通であると判定し、性能指数が閾値未満である場合はシールドが不導通であると判定することと、を含む。一実施形態において、方法は、ケーブル又は配線設備のコモンモード反射損失を決定することと、フーリエ変換をコモンモード反射損失に適用して、時間領域データを得ることと、補償ベクトルを使用して、時間領域データをスケーリングすることと、スケーリングされた時間領域データの最大と関連付けられたインデックスを決定することと、スケーリングされた時間領域データの最大と関連付けられたインデックスに基づいて、ケーブル又は配線設備に沿った不導通の場所を決定することと、を含む。
【図面の簡単な説明】
【００１３】
【図１】図１は、試験装置に結合された、試験下の配線設備を示す図である。
【図２】図２は、試験装置の第１及び第２の試験端子のブロック図である。
【図３】図３は、シールド導通を試験するための方法の流れ図である。
【図４】図４は、シールド導通を試験するための方法の流れ図である。
【図５】図５は、ケーブル又は配線設備の予期されるコモンモード挿入損失の一例を示す図である。
【図６】図６は、周波数範囲にわたる２つのケーブルの予期される、及び決定されたコモンモード挿入損失の一例を示す図である。
【図７】図７は、シールド導通を試験するための方法の流れ図である。
【図８】図８は、伝搬遅延に関する周波数範囲セグメントの一例を示す図である。
【図９】図９は、ケーブル又は配線設備内の不導通の場所を決定するための方法を示す図である。
【発明を実施するための形態】
【００１４】
図１は、試験装置１０１に結合された試験下の配線設備１００を示す。試験装置は、第１の試験端子１０２ａと、第２の試験端子１０２ｂとを含む。配線設備１００は、コネクタプラグ１０８及びコネクタジャック１１０を使用して共に接続された、第１のケーブル１０６ａ及び第２のケーブル１０６ｂ（本明細書では、集合的に数字だけで称される）を含む。複数のケーブル１０６を含む配線設備１００が図１を参照して説明されるが、本明細書で説明される技術は、任意の数のケーブルを伴う設備を試験するために、又は１つのケーブルを試験するために使用することができることに留意されたい。
【００１５】
各ケーブル１０６は、複数のツイストペアの導体１１２を含む。各ペア１１２は、電磁放射及びクロストークを低減させ、かつ外部の電磁干渉排除を向上させるために、互いの周囲に撚られた第１の導体１１４ａ及び第２の導体１１４ｂを含む。複数のツイストペアは、図１において、４つのペアを含むように示されるが、ケーブル１０６は、任意の数の導体又はそのペアを有することができることに留意されたい。導体１１４は、それぞれ、絶縁体（図示せず）によって絶縁することができる。
【００１６】
複数のツイストペア１１２は、シールド１１６によってシールドされる。シールド１１６は、ケーブル１０６の長さにわたって複数のツイストペア１１２を取り囲む。フォイルであってもよいシールド１１６は、導体１１４を外部の電磁波からシールドするための電気伝導性バリアを提供する。ケーブル１０６はまた、絶縁体１１８も有する。
【００１７】
シールド１１６は、破損又は不導通を伴うことなく、導通であることが望ましい。シールド１１６の不導通１２０は、電磁干渉がツイストペア１１２に到達することを可能にし、したがって、他の望ましくない結果の中でも特に、ケーブル１０６のクロストーク（ＸＴ）性能を低下させる。
【００１８】
加えて、配線設備１００のシールド１１６は、配線設備１００内の１つ以上の点において接地１２２に接続することができる。接地接続は、シールドに印加される電流の並列「スニーク」パスを提供することによって、シールド１１６の導通の直流（ＤＣ）ベースのシールド検証技術を妨害する場合がある。並列「スニーク」パスは、不導通１２０を迂回し、低い抵抗値を生じさせ、ＤＣベースの検証技術の誤った「合格」をもたらす。
【００１９】
シールド１１６はまた、寄生インダクタンスを有するドレインワイヤ１２４も有する場合がある。配線設備１００の第２のケーブル１０６ｂは、ドレインワイヤ１２４を使用して、コネクタジャック１１０において終端されるように示される。ドレインワイヤ１２４の使用は、配線設備１００を通したシールド１１６の導通を維持する。しかしながら、第２のケーブル１０６ｂ（又は任意の構成ケーブル１０６）の下手な又は未熟な終端は、（例えば、ドレインワイヤ１２４が数インチの長さである、又はそれ自体の周囲にループする結果として）寄生インダクタンスを有するドレインワイヤ１２４をもたらす場合がある。ドレインワイヤ１２４の寄生インダクタンスは、コモンモード反射損失シールド検証技術の誤った失敗をもたらす場合がある。このような技術は、比較的大きい寄生インダクタンスをもたらす下手に又は未熟に終端されたドレインワイヤ１２４を有するにもかかわらず、実際にはシールド１１６が導通であるときに、シールド１１６が不導通であると宣言する場合がある。米国特許第８，５７０，０４９号は、参照によりその全体が本明細書に組み込まれ、シールド導通のコモンモード反射損失ベースの試験を説明する。
【００２０】
図１に示されるように、試験装置１０１の第１の試験端子１０２ａ及び第２の試験端子１０２ｂは、配線設備１００に結合される。第１の試験端子１０２ａは主機器とすることができ、第２の試験端子１０２ｂは、試験装置１０１の遠隔機器とすることができる。第２の試験端子１０２ｂは、第１の試験端子１０２ａの場所とは異なる場所に配置することができる。特に、第１の試験端子１０２ａは、複数のツイストペア１１２の導体の第１端部に結合される。第２の試験端子１０２ｂは、複数のツイストペア１１２の導体の第２の端部に結合される。第１の試験端子１０２ａは、周波数範囲にわたってコモンモードスイープを行う。スイープ内の複数の周波数点にわたる各周波数点において、第１の試験端子１０２ａは、複数のツイストペア１１２の導体１１４の第１端部においてコモンモードで第１の信号を伝送する。コモンモードでは、同じ第１の信号が、配線設備１００の各導体１１４を通じて伝送される。コモンモード信号は、設備１００の導体１１４を横断する。
【００２１】
第２の試験端子１０２ｂは、複数のツイストペア１１２の各導体１１４の第２端部において第２の信号を受信する。第２の信号は、第１の信号が導体１１４を横断したときに挿入損失を受けたことを表す。第１の試験端子１０２ａ又は第２の試験端子１０２ｂは、複数のツイストペア１１２のコモンモード挿入損失を決定する。更に、第１の試験端子１０２ａ又は第２の試験端子１０２ｂは、コモンモード挿入損失に基づいて、シールド１１６内に不導通が存在するかどうかを判定する。第１の試験端子１０２ａ又は第２の試験端子１０２ｂはまた、不導通の場所も決定することができる。
【００２２】
図２は、試験装置１０１の第１の試験端子１０２ａ及び第２の試験端子１０２ｂのブロック図を示す。図２において、第１の試験端子１０２ａ及び第２の試験端子１０２ｂは、配線設備１００に接続されるように示される。第１の試験端子１０２ａは、プロセッサ１３０ａと、メモリ１３２ａと、出力装置１３４ａと、通信装置１３６ａと、複数の出力端子１４２を有する伝送機１３８とを含む。プロセッサ１３０ａは、メモリ１３２ａ、出力装置１３４ａ、通信装置１３６ａ、及び伝送機１３８に通信的に結合される。第２の試験端子１０２ｂは、プロセッサ１３０ｂと、メモリ１３２ｂと、出力装置１３４ｂと、通信装置１３６ｂと、受信機１４０とを含む。プロセッサ１３０ｂは、メモリ１３２ｂ、出力装置１３４ｂ、通信装置１３６ｂ、及び受信機１４０に通信的に結合される。
【００２３】
第１の試験端子１０２ａの伝送機１３８は、複数の出力端子１４２を有する。複数の出力端子１４２は、第１の端部において、配線設備１００の複数の導体１１４にそれぞれ接続される。受信機１４０は、複数の入力端子１４４を有する。複数の入力端子１４４は、第１の端部とは異なる配線設備１００の第２の端部において、複数の導体１１４にそれぞれ接続される。第１及び第２の端部は、（例えば、設置されたときに）異なる場所にあり得るので、試験装置１０１の２つの端子１０２ａ、１０２ｂは、ローカル端部及びリモート端部についてそれぞれ例示される。しかしながら、１つの装置／端子が、伝送機１３８及び受信機１４０の両方、又は送受信機を備えることができると認識される。装置／端子は、第１の信号を試験信号として伝送し、第１の信号が導体１１４を横断したことを表す第２の信号を受信することができる。
【００２４】
プロセッサ１３０ａは、メモリ１３２ａに記憶された実行可能命令を実行するように構成された、任意のタイプの装置とすることができる。実行可能命令がプロセッサ１３０ａによって実行されると、実行可能命令は、プロセッサ１３０ａに、本明細書で説明される機能又は技術を行わせる。プロセッサ１３０ａは、数ある中でも特に、コントローラ、マイクロコントローラ、又はマイクロプロセッサとすることができ、また、他の計算ユニットの中でも特に、算術論理演算ユニット（ＡＬＵ）を含むことができる。プロセッサ１３０ａは、第１の信号を伝送機１３８に伝送するように命令する。プロセッサ１３０ａはまた、本明細書で説明されるように、第２の試験端子１０２ｂによって検出されたコモンモード挿入損失データを受信し、コモンモード挿入損失データに基づいて、配線設備１００のシールドが不導通を有するかどうかも判定する。不導通がある場合、プロセッサ１３０ａは、第１の試験端子１０２ａ及び第２の試験端子１０２ｂによって取得したデータに基づいて、不導通の場所を決定する。
【００２５】
プロセッサ１３０ａは、行われた試験の結果を表すデータを出力装置１３４ａに出力する。例えば、プロセッサ１３０ａは、シールド１１６が導通（例えば、「合格」）であるか、又は不導通（例えば、「不合格」）であるかを表すデータを出力することができる。プロセッサ１０２ａはまた、第１の信号の伝送時間と第２の信号の受信時間との差に少なくとも部分的に基づいて、配線設備１００の伝搬遅延も決定することができる。
【００２６】
メモリ１３２ａは、実行可能命令を記憶するように構成される任意の装置とすることができる。メモリ１３２ａはまた、試験結果、不導通の場所、伝搬遅延、又はコモンモード挿入損失データ等の、行われた導通試験に関連するデータも記憶することができる。メモリ１３２ａは、ランダムアクセスメモリ（ＲＡＭ）及び／又はリードオンリーメモリ（ＲＯＭ）を含むことができる。出力装置１３４ａは、データをユーザに出力するように構成された任意のタイプの装置とすることができる。例えば、出力装置１３４ａは、数ある中でも特に、ディスプレイ又はスピーカとすることができる。出力装置１３４ａは、プロセッサ１３０ａから受信したシールド導通試験の結果をユーザに出力することができる。
【００２７】
通信装置１３６ａは、別の装置と通信し、データを他の装置に伝送する、又は該装置からデータを受信するように構成される、任意の装置とすることができる。他の装置は、第２の試験端子１０２ｂの通信装置１３６ｂとすることができる。通信装置１３６ａは、無線又は有線通信プロトコルを使用して通信することができる。例えば、通信装置１３６ａは、モデム又は送受信機とすることができる。通信装置１３６ａは、コモンモード挿入損失を表すデータを受信する。通信装置１３６ａは、データをプロセッサ１３０ａに出力する。
【００２８】
伝送機１３８は、信号を伝送するように構成された任意の装置とすることができ、それによって、信号は、本明細書で説明される導体１１４を通じて伝送されるコモンモード試験信号とすることができる。伝送機１３８は、本明細書で説明される複数の出力端子１４２を有する。複数の出力端子１４２を使用して、試験装置１０１を試験下のケーブル又は配線設備に接続する。伝送機１３８は、複数の出力端子１４２を通じて伝送するための複数の導体１１４を通じてコモンモード信号を出力する。
【００２９】
第２の試験端子１０２ｂにおいて、プロセッサ１３０ｂ、メモリ１３２ｂ、出力装置１３４ｂ、及び通信装置１３６ｂは、本明細書で説明される第１の試験端子１０２ａのプロセッサ１３０ａ、メモリ１３２ａ、出力装置１３４ａ、及び通信装置１３６ａに類似する。受信機１４０は、複数の第２の信号を受信するように構成された任意の装置とすることができる。受信機１４０は、本明細書で説明される複数の入力端子１４４を有する。受信機１４０は、複数の入力端子１４４において、複数の導体１１４を通じて伝送されたコモンモード信号をそれぞれ受信する。
【００３０】
受信機１４０は、受信した第２の信号を表すデータをプロセッサ１３０ｂに出力する。プロセッサ１３０ｂは、データを評価して、配線設備１００のコモンモード挿入損失又は伝搬遅延を決定することができる。代替的又は追加的に、プロセッサ１３０ｂは、第１の端子１０２ａの通信装置１３６ａに伝送するために、及びプロセッサ１３０ａによって評価するために、データを通信装置１３６ｂに出力させることができる。
【００３１】
２つの試験端子１０２ａ、１０２ｂの使用は、導体１１４の第１及び第２の端部が互いに近接していないときに好都合である。２つの試験端子１０２ａ、１０２ｂは、配線設備１００の２つの端部にそれぞれ接続されるように本明細書で説明されるが、種々の実施形態において、１つの試験端子を使用することができることに留意されたい。例えば、試験端子は、入力端子１４２及び出力端子１４４の両方を備えることができる。入力端子１４２及び出力端子１４４は、ケーブルがケーブルリール又はスプール内にあるとき等の、特に導体１１４の両端部が互いに近接しているときに、該両端部にそれぞれ接続することができる。
【００３２】
図３は、シールド導通を試験するための方法３００の流れ図を示す。方法３００において、試験装置１０１は、３０２で、周波数範囲にわたって周波数スイープを行い、周波数範囲内の複数の周波数点の各周波数点において、図１を参照して説明される配線設備１００等の、ケーブル又は配線設備の複数の導体１１４を通じてコモンモードで第１の信号を伝送する。第１の信号は、複数の導体１１４の第１端部においてコモンモードで伝送され、それによって、同じ第１の信号が、複数の導体１１４の各導体を通じて伝送される。複数の導体１１４は、試験下のシールドによって取り囲まれる。
【００３３】
ケーブル１０６又は配線設備１００のケーブル１０６は、例えば、４つのツイストペア１１２（及び合計８つの導体１１４）を有するデータ通信ケーブルとすることができ、各ツイストペア１１２は、独立した伝送線である。本明細書で説明されるように、コモンモードで第１の信号を伝送することは、同じ第１の信号によって複数の導体１１４を同時に駆動することを含む。例えば、ケーブル１０６の複数のツイストペア１１２の全ての導体１１４は、同じ第１の信号によってシールド１１６に対して同時に駆動することができる。一実施形態において、シールド１１６が試験されるときには、どのツイストペア１１２も駆動されない状態又は中立の状態を維持することができない。例えば、第１の端部において、複数の導体１１４は、共に接続することができ、第１の信号は、複数の導体１１４の全てを通じて同時に伝送することができる。
【００３４】
周波数範囲は、１〜２０メガヘルツ（ＭＨｚ）等の低周波とすることができる。複数の周波数点は、互いから１ＭＨｚだけ分離することができ、それによって、周波数点は、１、２、３、．．．、２０ＭＨｚとすることができる。第１の信号は、複数の導体１１４に同時に伝送される。
【００３５】
例えば１〜２０ＭＨｚの範囲の低周波信号は、導体１１４を取り囲むシールドが不導通であるか、又は破損しているときに、第１の信号が導体１１４を横断するときに該信号が妨害される際に好都合である。反対に、シールドが導通である場合、第１の信号は比較的妨害されない。比較的低い周波数では、シールドが不導通であるときに比べて、シールドが導通であるときには、より大きい強度を有する信号が導体１１４の第２の端部において受信される。特に、シールドの開口又は破損は、シールド及び導体１１４によって形成されたループを信号電流が流れることを大幅に妨害する。不導通が１〜２０ＭＨｚの範囲内の第１の信号を妨害するという事実は、不連続検出を容易にするために好都合に使用される。
【００３６】
３０４で、試験装置１０１は、それぞれの複数の導体１１４を横断した複数の第１の信号を表す複数の第２の信号をそれぞれ受信する。試験装置１０１は、複数の導体１１４の第２の端部において複数の第２の信号をそれぞれ受信する。３０６で、試験装置１０１は、複数の第２の信号に基づいて、周波数範囲内の複数の周波数点の各周波数点におけるコモンモード挿入損失を決定する。試験装置１０１はまた、複数の第２の信号のうちの第２の信号と関連付けられた伝搬遅延も測定する。伝搬遅延は、第１の信号の伝送と第２の信号の受信との間の継続時間を表すことができる。より長いケーブル又は配線設備１００がより長い横断時間と関連付けられるので、伝搬遅延は、ケーブル又は配線設備１００の長さの関数である。
【００３７】
試験装置１０１は、複数のツイストペアの各ツイストペア１１２のコモンモード挿入損失を決定することができる。試験装置１０１は、複数のツイストペアのコモンモード挿入損失を平均して、配線設備１００の３０６でのコモンモード挿入損失を決定することができる。決定されたコモンモード挿入損失はまた、複数のツイストペアの複数のコモンモード挿入損失のそれぞれの任意の関数とすることもできる。ケーブル１１６の全てのツイストペア１１２のコモンモード信号レベルは、第２の端部において測定され、平均される。ケーブル１０６がデータ通信ケーブルである場合には、コモンモード挿入損失を決定するために、４つのコモンモード信号レベルが（ツイストペア１１２ごとに１つ）測定され、平均される。
【００３８】
３０８で、試験装置１０１は、コモンモード挿入損失に基づいて、ケーブル又は配線設備の不導通を識別する。種々の実施形態において、第２の試験端子１０２ｂは、有線又は無線通信によって、コモンモード挿入損失を表すデータを第１の試験端子１０２ａに送信することができる。次いで、第１の試験端子１０２ａは、第２の試験端子１０２ｂから受信したデータに基づいて、ケーブル又は配線設備内に不導通があるかどうかを判定することができる。更に、一実施形態において、第２の試験端子１０２ｂは、受信した複数の第２の信号を表すデータを第１の試験端子１０２ａに送信し、第１の試験端子１０２ａは、コモンモード挿入損失を決定し、複数の第２の信号に基づいて、不導通を識別する。
【００３９】
図１を参照して説明されるようにシールドを接地させるため、低い抵抗値のＤＣスニークパスが存在するときには、ＤＣスニークパスは、比較的高い関連付けられた交流（ＡＣ）インピーダンスを有することに留意されたい。試験装置１０１は、配線設備の導体を通じてシールド１１６を試験するための第１の信号を伝送する。シールドが開口（又は不導通）であり、ＤＣスニークパスが存在する場合は、シールドが導通であった場合と比較して、挿入損失が著しく異なる。本明細書で説明される技術は、ＤＣスニークパスが存在するときであってもシールド不導通を検出し、また、ＤＣスニークパスが存在するときに影響を受け難い（又は偽陰性を示す）。
【００４０】
図４は、シールド導通を試験するための方法４００の流れ図を示す。方法４００において、４０２で、試験装置１０１は、ケーブル又は配線設備の予期されるコモンモード挿入損失を決定する。予期されるコモンモード挿入損失は、伝搬遅延及び／又は周波数スイープの周波数点で受信された第２の信号に基づいて（又は、その関数として）、決定することができる。予期されるコモンモード挿入損失（デシベル（ｄＢ）は、周波数の一次関数であり得、及び／又は周波数と逆相関し得る。伝搬遅延は、ケーブル又は配線設備の長さの関数であるので、異なる長さのケーブル又は配線設備は、異なる予期されるコモンモード挿入損失プロファイルを有する。図５は、ケーブル又は配線設備の予期されるコモンモード挿入損失の一例を示す。周波数範囲内のより高い周波数は、より少ない予期されるコモンモード挿入損失と関連付けられる。図５の例示的な予期されるコモンモード挿入損失は、５０メートル（ｍ）のケーブル又は配線設備に関するものである。
【００４１】
４０４で、試験装置１０１は、決定されたコモンモード挿入損失及びケーブル又は配線設備の予期されるコモンモード挿入損失に基づいて、オフセットコモンモード挿入損失を決定する。オフセットコモンモード挿入損失は、周波数範囲内の周波数点ごとに決定することができる。オフセットされたコモンモード挿入損失は、（ステップ３０６で）決定されたコモンモード挿入損失と、周波数範囲内の周波数点ごとのケーブル又は配線設備の予期されるコモンモード挿入損失との差として決定することができる。決定されたコモンモード挿入損失及び予期されるコモンモード挿入損失が互いに対応する（例えば、ゼロｄＢの差に近かった）場合、シールドは、導通であると判定することができる。代替的に、決定されたコモンモード挿入損失及び予期されるコモンモード挿入損失が互いに対応しない場合、シールドは、不導通であると判定することができる。４０６で、試験装置１０１は、オフセットコモンモード挿入損失に基づいて、シールドが導通であるかどうかを判定する。
【００４２】
図６は、周波数範囲にわたる２つのケーブルの予期される及び決定されたコモンモード挿入損失の例を示す。第１のケーブルについて、決定されたコモンモード挿入損失６０４ａは、主に、周波数範囲にわたる予期されるコモンモード挿入損失６０２ａに対応し、追従する。第１のケーブルの決定されたコモンモード挿入損失６０４ａと予期されるコモンモード挿入損失６０２ａとの差は、周波数範囲内の任意の周波数点において２ｄＢ以下である。したがって、第１のケーブルは、導通シールドを有すると判定することができる。反対に、第２のケーブルの決定されたコモンモード挿入損失６０４ｂ及び予期されるコモンモード挿入損失６０２ａは、周波数範囲にわたり互いから逸れている。第２のケーブルの決定されたコモンモード挿入損失６０４ｂと予期されるコモンモード挿入損失６０２ａとの差は、４０ｄＢにもなり得る。それに応じて、したがって、第２のケーブルは、不導通シールドを有すると判定することができる。
【００４３】
決定された及び予期されるコモンモード挿入損失は、周波数範囲全体ではなく、周波数範囲のセグメント（又は部分範囲）にわたって比較することができる。更に、性能指数を使用して、決定された及び予期されるコモンモード挿入損失（すなわち、オフセットコモンモード挿入損失）の差を定量化することができる。性能指数は、閾値と比較して、シールドが導通であるか、不導通であるかを判定することができる。
【００４４】
図７は、シールド導通を試験するための方法７００の流れ図を示す。方法７００において、試験装置１０１は、７０２で、オフセットコモンモード挿入損失を評価する周波数範囲のセグメントを決定する。周波数範囲のセグメントは、周波数範囲全体の任意の一部分（例えば、半分）とすることができる。例えば、周波数範囲が１〜２０ＭＨｚの２０個の周波数点を有する場合、セグメントは、１〜２０ＭＨｚの任意の１０個の連続する周波数点とすることができる。
【００４５】
セグメントは、試験下のケーブル又は配線設備の長さ（又はケーブル若しくは配線設備と関連付けられた伝搬遅延）に基づいて決定することができる。例えば、比較的短い伝搬遅延と関連付けられる、比較的短い長さを有するケーブル又は配線設備は、周波数範囲の終わりにより近い、関連付けられたセグメントを有することができる。代替的に、比較的長い長さを有する（例えば、少なくとも４２ナノ秒（ｎｓ）の伝搬遅延を有する）ケーブル又は配線設備は、周波数範囲の始まりにより近い、関連付けられたセグメントを有することができる。
【００４６】
図８は、伝搬遅延に関連する周波数範囲セグメントの一例を示す。各周波数範囲セグメントのサイズは、１０個の周波数点であり、該周波数点は、１〜２０ＭＨｚの周波数範囲全体の半分である。各周波数範囲セグメントは、開始周波数点８０２と終了周波数点８０４との間で変動する。５０ｍを超える（又は４２ｎｓ以上の関連付けられた伝搬遅延を有する）ケーブル又は配線設備は、周波数範囲の下端部（又は１〜１０ＭＨｚ）の周波数範囲であるセグメントに基づいて試験される。この周波数セグメント以外（例えば、１１〜２０ＭＨｚ）の周波数点は、ケーブル又は配線設備のシールドの試験に使用されない。
【００４７】
図７を再度参照すると、７０４で、試験装置１０１は、周波数範囲のセグメントのオフセットコモンモード挿入損失に基づいて、性能指数を決定する。性能指数は、オフセットコモンモード挿入損失のゼロ値からの偏差を表すことができる。性能指数は、標準偏差又はケーブル若しくは配線設備のオフセットコモンモード挿入損失の分散に基づくことができる。より広い分散は、予期されるコモンモード挿入損失からのより大きい偏差を表し、したがって、シールドの不導通を表す。
【００４８】
一実施形態において、性能指数は、次式のように表すことができる。
【数１】
2019184606.tif 000003
式中、μＯＣＭＩＬは、周波数範囲のセグメントにわたるオフセットコモンモード挿入損失の平均である。周波数範囲のセグメントにわたるオフセットコモンモード挿入損失の平均は、次式のように決定することができる。
【数２】
2019184606.tif 000004
式中、ｆ１は、セグメント内の開始周波数点であり、ｆＮは、セグメント内の終了周波数点であり、Ｎは、セグメント内の（例えば、図８に示されるように１０個の）周波数点の数であり、ＯＣＭＩＬ（ｆ）は、周波数範囲のセグメントにわたるオフセットコモンモード挿入損失である。式（１）のσＯＣＭＩＬは、周波数範囲のセグメントにわたるオフセットコモンモード挿入損失（ＯＣＭＩＬ（ｆ））と、セグメントにわたるオフセットコモンモード挿入損失の最小二乗平均（ＬＭＳ）フィット（ＬＭＳＯＣＭＩＬ（ｆ））との差の標準偏差を表すことができる。標準偏差は、次式のように決定することができる。
【数３】
2019184606.tif 000005
【００４９】
セグメントにわたるオフセットコモンモード挿入損失の変動は、性能指数と負に相関する。比較的大きい性能指数は、シールド導通を表し、一方で、比較的小さい性能指数は、シールドが不導通を有することを示す。
【００５０】
試験装置１０１は、７０６で、性能指数を１つ以上の閾値と比較し、７０８で、性能指数を１つ以上の閾値と比較することに基づいて、シールドが導通であるかどうかを判定する。例えば、性能指数が閾値よりも大きい場合、試験装置１０１は、ケーブル又は配線設備のシールドが導通であるとみなすことができる。反対に、性能指数が閾値よりも小さい場合、試験装置１０１は、ケーブル又は配線設備のシールドが不導通であるとみなすことができる。
【００５１】
シールドが不導通であると判定された場合、試験装置１０１は、ケーブル又は配線設備のコモンモード反射損失データに基づいて、不導通の場所を識別することができる。
【００５２】
図９は、ケーブル又は配線設備の不導通の場所を決定するための方法９００を示す。方法９００において、試験装置１０１は、９０２で、ケーブル又は配線設備の端部ごとにコモンモード反射損失を取得する。９０４で、試験装置１０１は、逆フーリエ変換（ＩＦＴ）をコモンモード反射損失に適用して、各端部の時間領域データを取得する。ＩＦＴは、任意のサイズを有する逆高速フーリエ変換（ＩＦＦＴ）とすることができる。例えば、ＩＦＦＴは、１ＭＨｚのステップで３０１点のＩＦＦＴとすることができる。９０６で、試験装置１０１は、ウインドウを時間領域データに適用する。ウインドウは、例えば、ブラックマンウインドウとすることができる。
【００５３】
試験装置１０１は、９０８で、ウインドウ化データをモジュロシフトする。試験装置１０１は、１０点等の任意の数の点を使用して、ウインドウ化データをモジュロシフトすることができる。試験装置１０１は、次いで、９１０で、モジュロシフトされたデータを平滑化する。例えば、４のボックスカー幅を有する双方向移動平均フィルタを使用して、モジュロシフトされたデータを平滑化することができる。
【００５４】
試験装置１０１は、９１２で、補償ベクトルを使用して、平滑化されたデータをスケーリングする。平滑化されたデータをスケーリングすることは、データを所定の減衰補償ベクトルと乗算して、距離による反射パルスのレベル変動を補償することができる。９１４で、試験装置１０１は、ケーブル又は配線設備の第１の端部の第１の大域的最大及び関連付けられた第１のインデックス、並びにケーブル又は配線設備の第２の端部の第２の大域的最大及び関連付けられた第２のインデックスを識別する。試験装置１０１は、９１６で、第１のインデックス及び第２のインデックスに基づいて、シールド不導通の場所を識別する。例えば、スケーリングされたデータのスパイクは、シールド不導通を示すことができる。不連続の場所は、スケーリングされた時間領域データのスパイクのインデックスに対応する。例えば、時間領域データである、補償したデータ内のインデックスの場所は、ケーブル内の不導通の場所に対応する。例えば、インデックスが補償したデータの中心にある場合、不導通がケーブルの中心にあると判定される。
【００５５】
上に記載した種々の実施形態を組み合わせ、更なる実施形態を得てもよい。上記の発明を実施するための形態を考慮すれば、これら及び他の変更が実施形態に加えられてもよい。一般的に、以下の特許請求の範囲において、使用される用語は、請求項を、明細書及び請求項に開示される具体的な実施形態に限定するものと解釈すべきではないが、このような請求項によって権利が与えられる全均等物の範囲に沿った全ての可能な実施形態を含むと解釈すべきである。したがって、請求項は、開示によって制限されるものではない。
【図１】
2019184606.tif 000006
【図２】
2019184606.tif 000007
【図３】
2019184606.tif 000008
【図４】
2019184606.tif 000009
【図５】
2019184606.tif 000010
【図６】
2019184606.tif 000011
【図７】
2019184606.tif 000012
【図８】
2019184606.tif 000013
【図９】
2019184606.tif 000014
【外国語明細書】
2019184606000001.pdf